(57)【要約】【課題】第２天板に載置された物品が前後方向に落下することを防止できる移動式什器を提供する。【解決手段】床面を走行可能なベース部と、ベース部から上方に延びる支持体と、支持体に支持された第１天板４と、第１天板４の上方に間隔をあけて配置され第１天板４に対して前後方向にスライド可能な第２天板５と、を有する移動式什器１において、第２天板５の前縁部の上側に配置された前部落下防止部材９と、第２天板５の後縁部の上側に配置された第２後部落下防止部材（後部落下防止部材）１０と、を有する。【選択図】図２
2018007729.tif 000002
【特許請求の範囲】
【請求項１】
床面を走行可能なベース部と、
該ベース部から上方に延びる支持体と、
該支持体に支持された第１天板と、
該第１天板の上方に間隔をあけて配置され該第１天板に対して前後方向にスライド可能な第２天板と、を有する移動式什器において、
前記第２天板の前縁部の上側に配置された前部落下防止部材と、
前記第２天板の後縁部の上側に配置された後部落下防止部材と、を有することを特徴とする移動式什器。
【請求項２】
前記前部落下防止部材は、前記第２天板の前縁部全体の上側に設けられていることを特徴とする請求項１に記載の移動式什器。
【請求項３】
前記前部落下防止部材は、同一部材で前記第２天板と一体的に成形されていることを特徴とする請求項１または２に記載の移動式什器。
【請求項４】
前記前部落下防止部材の上端部は、水平面となる平坦面に形成されていることを特徴とする請求項１乃至３のいずれか一項に記載の移動式什器。
【請求項５】
前記前部落下防止部材には、第２天板の前縁部から上方に延びる上方延出部と、該上方延出部の上端部から前方へ延びる上端部と、該上端部の前方から下方に延びる下方延出部と、を有し、前記上方延出部の前面、前記上端部の下面および前記下方延出部の後面において形成され下側に開口する凹部が前記第２天板を前記第１天板に対して前後方向にスライドさせる際の手掛け部として構成されていることを特徴とする請求項１乃至４のいずれか一項に記載の移動式什器。
【請求項６】
前記後部落下防止部材は、前記第２天板の後縁部全体の上側に設けられていることを特徴とする請求項１乃至５のいずれか一項に記載の移動式什器。
【請求項７】
第２天板における前後方向に交差する幅方向の両側縁部それぞれの上側に配置された側部落下防止部材を有することを特徴とする請求項１乃至６のいずれか一項に記載の移動式什器。
【発明の詳細な説明】
【技術分野】
【０００１】
本発明は、移動式什器に関する。
【背景技術】
【０００２】
従来、オフィスや病院、公共施設などの執務空間では、例えば、電子機器などが載置され、床面を走行可能な移動式什器が使用されている（例えば、特許文献１参照）。移動式什器は、執務空間において執務者とともに移動可能であるため、執務の効率化および利便性の向上を図ることができる。
移動式什器は、移動する際に天板に載置された物品が落下する虞があるため、天板に載置された物品が落下することを防止するための落下防止部材が天板の縁部近傍に上側に突出するように設けられることがある。
【０００３】
特許文献１に開示された移動式什器は、第１天板と、第１天板の上方に間隔をあけて配置される第２天板と、第１天板に対して第２天板を前後方向にスライド可能に支持する支持部材と、を有している。この移動式什器は、第２天板の両側縁部および後縁部（使用者が対向する側と反対側の縁部）の上側には、第２天板の上に載置された物品が落下することを防止する落下防止部材が設けられている。
【先行技術文献】
【特許文献】
【０００４】
【特許文献１】特許第５２５７９１６号公報
【発明の概要】
【発明が解決しようとする課題】
【０００５】
移動式什器は、発進・停止の際に慣性力が作用するため、固定式什器と比べて天板に載置された物品が前後方向（移動方向）に落下することを確実に防止するための手段が求められる。また、特許文献１に開示された移動式什器のような第２天板が第１天板に対して前後方向にスライドする移動式什器では、第２天板を第１天板に対して前後方向にスライドさせた場合にも、第２天板に載置された物品が前後方向に落下することを確実に防止する手段が望まれていた。
【０００６】
そこで、本発明は、第２天板に載置された物品が前後方向に落下することを確実に防止できる移動式什器を提供することを目的とする。
【課題を解決するための手段】
【０００７】
上記目的を達成するため、本発明に係る移動式什器は、床面を走行可能なベース部と、該ベース部から上方に延びる支持体と、該支持体に支持された第１天板と、該第１天板の上方に間隔をあけて配置され該第１天板に対して前後方向にスライド可能な第２天板と、を有する移動式什器において、前記第２天板の前縁部の上側に配置された前部落下防止部材と、前記第２天板の後縁部の上側に配置された後部落下防止部材と、を有することを特徴とする。
【０００８】
本発明では、第２天板には、前部落下防止部材と後部落下防止部材とが設けられていることにより、移動式什器が前後方向に移動したときや、第２天板が第１天板に対して前後方向にスライドした時に、第２天板から前方や後方に物品が落下することを確実に防止できる。
【０００９】
また、本発明に係る移動式什器では、前記前部落下防止部材は、前記第２天板の前縁部全体の上側に設けられていることが好ましい。
このような構成とすることにより、移動式什器が前後方向に移動したときや、第２天板が第１天板に対して前後方向にスライドした時に、第２天板から前方に物品が落下することをより確実に防止することができる。
【００１０】
また、本発明に係る移動式什器では、前記前部落下防止部材は、前記前部落下防止部材は、同一部材で前記第２天板と一体的に成形されていることが好ましい。
このような構成とすることにより、前部落下防止部材を安価かつ簡易に形成することができる。また、第２天板および前部落下防止部材の見栄えを良くすることができる。
【００１１】
また、本発明に係る移動式什器では、前記前部落下防止部材の上端部は、水平面となる平坦面に形成されていることが好ましい。
このような構成とすることにより、第２天板に電子機器が載置されている場合に、使用者が上端部の平坦面に手を置いた状態で電子機器を操作することができるため、第２天板に載置された電子機器の操作が行いやすく、移動式什器の使い勝手を良くすることができる。
【００１２】
また、本発明に係る移動式什器では、前記前部落下防止部材には、前記前部落下防止部材には、第２天板の前縁部から上方に延びる上方延出部と、該上方延出部の上端部から前方へ延びる上端部と、該上端部の前方から下方に延びる下方延出部と、を有し、前記上方延出部の前面、前記上端部の下面および前記下方延出部の後面において形成され下側に開口する凹部が前記第２天板を前記第１天板に対して前後方向にスライドさせる際の手掛け部として構成されていることが好ましい。
このような構成とすることにより、前部落下防止部材とは別に手掛け部を設ける場合と比べて、安価にかつ簡易的に前部落下防止部材および手掛け部を設けることができる。
【００１３】
また、本発明に係る移動式什器では、前記後部落下防止部材は、前記第２天板の後縁部全体の上側に設けられていることが好ましい。
このような構成とすることにより、移動式什器が前後方向に移動したときや、第２天板が第１天板に対して前後方向にスライドした時に、第２天板から後方に物品が落下することをより確実に防止することができる。
【００１４】
また、本発明に係る移動式什器では、第２天板における前後方向に交差する幅方向の両側縁部それぞれの上側に配置された側部落下防止部材を有する構成としてもよい。
このような構成とすることにより、第２天板から物品が側方に落下することも確実に防止できる。
【発明の効果】
【００１５】
本発明によれば、第２天板に載置された物品が前後方向に落下することを確実に防止できる。
【図面の簡単な説明】
【００１６】
【図１】（ａ）は本発明の実施形態による移動式什器の一例を示す側面図、（ｂ）は斜視図である。
【図２】図１（ｂ）の第１天板から上部側を示す図である。
【図３】図２をＡ方向から見た図である。
【図４】図２をＢ方向から見た図である。
【図５】第２天板が前側に移動した様子を示す図である。
【図６】第１側部落下防止部材を示す斜視図である。
【図７】第１側部落下防止部材の内部および第１スライド機構を説明する斜視図である。
【図８】第２天板が前側に移動した際の第１スライド機構を説明する斜視図である。
【発明を実施するための形態】
【００１７】
以下、本発明の実施形態による移動式什器について、図１乃至図８に基づいて説明する。
図１に示す移動式什器１は、例えば、オフィスや病院、公共施設などの執務空間において、電子機器、書類ファイルや薬品などを載置して移動可能に構成されている。
移動式什器１は、不図示の使用者がハンドル４１を把持して押すことで移動するように構成されている。
以下の説明では、移動式什器において使用者と近接し対向する側（ハンドル４１が設けられている側、手前側）を前側とし、使用者と離間する側（ハンドル４１と離間する側、奥側）を後側とし、前側と後側を結ぶ水平方向を前後方向とする。また、前後方向に直交する水平方向を幅方向とする。
【００１８】
移動式什器１は、床面１１を走行可能なベース部２と、ベース部２から上方に延びる支持体３と、支持体３に支持された第１天板４と、第１天板４の上方に間隔をあけて配置された第２天板５と、第１天板４に対して第２天板５を前後方向にスライド可能に支持するスライド機構６と、第１天板４の幅方向の一方側の側縁部４ａの上側に配置された第１側部落下防止部材（側部落下防止部材）７Ａと、第１天板４の幅方向の他方側の側縁部４ｂの上側に配置された第２側部落下防止部材（側部落下防止部材）７Ｂと、第１天板４の後縁部４ｃの上側に配置された第１後部落下防止部材（後部落下防止部材）８と、第２天板５の前縁部５ａから上側に突出する前部落下防止部材９と、第２天板５の後部側の上側に配置された第２後部落下防止部材１０と、を有している。
【００１９】
ベース部２は、４本の直線状の脚杆２１，２１…と、これらの脚杆２１，２１…の根元が接続される接続部２２と、脚杆２１，２１…それぞれの先端部に取り付けられるキャスタ２３，２３…と、前側に配置される２つのキャスタ２３，２３をそれぞれロック可能なロック部２４，２４と、を備えている。移動式什器１は、キャスタ２３，２３…が床面１１に当接した状態で転動することにより、走行可能に構成されている。また、ロック部２４，２４によりキャスタ２３，２３をロックすることによって、移動式什器１の走行が規制されるように構成されている。
【００２０】
支持体３は、外側支柱ユニット３１と、内側支柱ユニット３２とを有している。外側支柱ユニット３１は、筒状に形成され、上下方向に延びる向きでベース部２の接続部２２上に立設している。本実施形態では、外側支柱ユニット３１に２つのトレイ３３，３３がそれぞれトレイ支持体３４，３４を介して取り付けられている。
内側支柱ユニット３２は、筒状に形成され、上下方向に延びる向きで外側支柱ユニット３１に上下方向に移動可能に挿通されている。内側支柱ユニット３２は、上端部に第１天板４が固定されている。内側支柱ユニット３２は、外側支柱ユニット３１に対して上下方向の所定のピッチの各位置において固定可能に構成されている。外側支柱ユニット３１に対する内側支柱ユニット３２の高さを調整することで第１天板４の高さを任意の高さに調整することができる。
【００２１】
図１乃至図４に示すように、第１天板４は、上面が不図示の書類やファイルなどの物品が載置可能な物品載置面とされた矩形の板状に形成されている。
第１天板４の前縁部には、前方に突出するハンドル４１（図２乃至図４では省略）が設けられている。ハンドル４１は、移動式什器１を走行させる際に使用者が把持するために設けられている。
第１天板４の下側には、第１天板４に支持され、不図示のアダプター等の物品を収容可能な第１物品収容部４２が設けられている。
第１天板４の後縁部４ｃには、幅方向の中間部に前側に窪んだ切欠き部４３が形成されている。
第１天板４の幅方向の一方側の縁部近傍には、上下方向に貫通し第１側部落下部材７Ａを固定するネジ（不図示）が挿通される孔部４４が前後方向に間隔をあけて２つ形成されている。第１天板４の幅方向の他方側の縁部には、上下方向に貫通し第２側部落下部材７Ｂを固定するネジが挿通される孔部４４が前後方向に間隔をあけて２つ形成されている。これらの孔部４４，４４…のうちの前側の孔部は、第１天板４の前後方向の中間部に形成され、後側の孔部は第１天板４の後端部近傍に形成されている。
【００２２】
第２天板５は、上面が不図示の電子機器などの物品が載置可能な物品載置面とされた矩形の板状に形成されている。第２天板５は、第１天板４の上方に第１天板４と間隔をあけて重なるように配置されている。第２天板５は、後述するスライド機構６に支持され、第１天板４に対して前後方向にスライド可能に構成されている。図１乃至図４では、第２天板５が第１天板４に対して後側に配置された様子を示しており、図５では、第２天板５が第１天板４に対して前側に配置された様子を示している。
第２天板５の幅方向の寸法は、第１天板４の幅方向の寸法と略同じ寸法に形成されている。第２天板５の前後方向の寸法は、第１天板４の前後方向の寸法よりも小さく形成されている。第２天板５の前後方向の寸法は、例えば、第１天板４の前後方向の寸法の１/２〜２/３程度に設定されている。
第２天板５の下側には、第１天板４に支持され、不図示のファイルや用箋挟などを収容可能な第２物品収容部５１（図４参照）が設けられている。
【００２３】
図２および図３に示すように、前部落下防止部材９は、第２天板５の前縁部５ａ全体から上側に突出する第１板部（上方延出部）９１と、第１板部９１の上縁部全体から前側に突出する第２板部（上端部）９２と、第２板部９２の前縁部全体から下側に向かって漸次前側に向かう斜め方向に突出する第３板部（下方延出部）９３と、を有している。第２板部９２は、第２天板５よりも例えば、１５ｍｍ程上側に配置され、上面が水平面となる平坦面に形成されている。第３板部９３は、幅方向の中間部が幅方向の両側部よりも第２板部９２の前縁部から上記の斜め方向に大きく突出している。
第１板部９１の前面と第２板部９２の下面と第３板部９３の後面において下向きに開口する凹部９５が形成されこの凹部９５が第２天板５をスライドさせる際に使用者が手を掛ける手掛け部９４となっている。本実施形態では、第３板部９３の幅方向の中間部が両端部よりも下側に突出しているため、第３板部９３の幅方向の中間部に手を掛けやすい。
本実施形態では、第２天板５および前部落下防止部材９は、鋼板を加工して一体に形成されている。なお、第２天板５および前部落下防止部材９は、鋼板以外の板金で形成されていたり、樹脂の型抜きなどで形成されていたりしてもよい。
【００２４】
図２乃至図５に示すように、第２後部落下防止部材１０は、第２天板５の幅方向の両側縁部それぞれの後部側および第２天板５の後縁部５ｂの上側に沿って配置された落下防止バー１０１と、第２天板５の後縁部５ｂにおける幅方向の中間部に上側に突出するように固定され落下防止バー１０１を第２天板５の上側に支持する支持体１０２と、を有している。
落下防止バー１０１は、平面視形状が前側に開口するＣ字形状となる棒状に形成され、両端部１０１ａ，１０１ａそれぞれの近傍が前側に向かって漸次下側に向かうように傾斜し、両端部１０１ａ，１０１ａが第２天板５に直接固定されている。落下防止バー１０１のうちの両端部１０１ａ，１０１ａそれぞれの近傍以外は、第２天板５の上方に第２天板５と間隔をあけて水平に配置され支持体１０２の上部に固定されている。落下防止バー１０１は、第２天板５よりも例えば、３０ｍｍ程上側に配置されている。第２天板５と落下防止バー１０１との間に隙間が設けられていることにより、この隙間に第２天板５に載置された電子機器の配線を通すことができる。
【００２５】
第１側部落下防止部材７Ａと第２側部落下防止部材７Ｂとは、幅方向に対称となるように形成されている。以下では、第１側部落下防止部材７Ａの詳細について説明し、第２側部落下防止部材７Ｂの詳細については説明を省略する。また、第２側部落下防止部材７Ｂを構成する部材は、対応する第１側部落下防止部材７Ａの部材と同じ符号で説明する。
【００２６】
第１側部落下防止部材７Ａは、第１天板４の上面の幅方向の一方側の側縁部４ａにおける後部側に立設し、前後方向に延びる壁状に形成されている。第１側部落下防止部材７Ａは、前端部が第１天板４の前後方向の中間部に配置され、後端部が第１天板４の後縁部４ｃよりもやや前側に配置されている。第１側部落下防止部材７Ａの前後方向の寸法は、第１天板４および第２天板５の前後方向の寸法より小さく設定されている。
図６乃至図８に示すように、第１側部落下防止部材７Ａは、幅方向の他方側に開口する凹部７３が形成され略直方体の箱状に形成された本体部７１と、本体部７１の幅方向の他方側に配置され本体部の凹部７３を覆うカバー部７２と、を有している。図６および図７では、第２天板５が第１天板４（図１参照）に対して後側に配置された様子を示しており、図８では、第２天板５が第１天板４に対して前側に配置された様子を示している。
本体部７１およびカバー部７２は、例えば、鋼板などで形成されている。
【００２７】
図７および図８に示すように、本体部７１は、第１天板４の上面に固定される下板部７１１と、下板部７１１の幅方向の一方側の縁部から立ち上がる側板部７１２と、側板部７１２の上縁部から幅方向の他方側に延びる上板部７１３と、下板部７１１の前縁部から上板部７１３の前縁部まで立ち上がり幅方向の一方側の側縁部が側板部７１２の前縁部と接続される前板部７１４と、下板部７１１の後縁部から上板部７１３の後縁部まで立ち上がり幅方向の一方側の側縁部が側板部７１２の後縁部と接続される後板部７１５と、を有している。
下板部７１１の上側、側板部７１２の幅方向の他方側、上板部７１３の下側、前板部７１４の後側、後板部７１５の前側に凹部７３が形成されている。
下板部７１１には、上下方向に貫通する孔部７１１ａが前後方向に間隔をあけて２つ形成されている。孔部７１１ａの上側には、それぞれナット７５が溶接されている。ナット７５の孔部は、下板部７１１に形成された孔部７１１ａと連通している。
【００２８】
カバー部７２は、板面が略長方形状となり板面が幅方向を向く姿勢で配置されるカバー板部７２１と、カバー板部７２１の下縁部から幅方向の一方側に突出する下側突出板部７２２と、カバー板部７２１の前縁部における上端部近傍から幅方向の一方側に突出しする前側突出板部７２３と、カバー板部７２１の後縁部における上端部近傍から幅方向の一方側に突出する後側突出板部７２４と、を有している。
【００２９】
カバー板部７２１は、本体部７１の凹部７３を覆うように本体部７１の幅方向の他方側に配置される。カバー板部７２１の上縁部は、前端部近傍および後端部近傍が前後方向の中間部分よりも上側に突出している。このため、カバー板部７２１の上縁部のうちの前端部近傍および後端部近傍は、本体部７１の上板部７１３と当接またはわずかな隙間をあけて近接している。また、カバー板部７２１の上縁部のうちの前後方向の中間部は、本体部７１の上板部７１３よりも下側に配置されている。これにより、カバー板部７２１の上縁部のうちの前後方向の中間部と、本体部７１の上板部７１３との間には、隙間７４（図５参照）が形成されている。
【００３０】
下側突出板部７２２には、後端部近傍に上下方向に貫通する孔部７２２ａが前後方向に間隔をあけて２つ形成されている。下側突出板部７２２は、本体部７１の下板部７１１の下側に配置される。
第１側部落下防止部材７Ａは、第１天板４の上に立設すると、カバー部７２の下側突出板部７２２が第１天板４の上面と当接する。そして、第１天板４の幅方向一方側の縁部近傍に形成された孔部４４、下側突出板部７２２に形成された孔部７２２ａ、本体部７１の下板部７１１に形成された孔部７１１ａ、およびこの孔部７１１ａの上側のナット７５の孔部が上下方向に重なる。これらの重なった孔部に第１天板４の下側からネジが挿通され、ネジがナット７５に螺合することで第１側部落下防止部材７Ａが第１天板４に固定され、第１天板４の幅方向の一方側の縁部のうちの後部側に立設する。
このような、第１側部落下防止部材７Ａは、第１天板４の幅方向の一方側の縁部のうちの後部側に立設していることにより、第１天板４に載置された物品が第１天板４の後部側から幅方向の一方側に落下することを確実に防止することができる。
【００３１】
図３乃至図５に示すように、第１後部落下防止部材８は、幅方向に延在する棒状に形成され、第１側部落下防止部材７Ａおよび第２側部落下防止部材７Ｂそれぞれの後端部近傍の間に架設されている。第１後部落下防止部材８は、幅方向の一方側の端部が第１側部落下防止部材７Ａの後端部近傍に固定され、幅方向の他方側の端部が第２側部落下防止部材７Ｂの後端部近傍に固定されている。
第１後部落下防止部材８の幅方向の両端部近傍は、第１天板４の上面と当接している。第１後部落下防止部材８の幅方向の中間部は、第１天板４の上面よりも上側に配置され、第１天板４に形成された切欠き部４３の上側に配置されている。これにより、第２天板５に載置された電子機器の配線が第２天板５と落下防止バー１０１との間に隙間を介して第１天板４の上に延ばし、さらに切欠き部４３を介して第１天板４の下方に延ばすことができる。第２天板５に載置された電子機器の配線を下方に延ばすことにより、例えば、第１天板４の下側の第１物品収容部４２に収容されたアダプターやバッテリなどに接続することができる。
また、第２天板５に載置された電子機器の配線が切欠き部４３を通ることで第１天板４の外周に配置されることがないため、第１天板４の外縁部が他の什器や壁などと当接した場合でも、配線が第１天板４と他の什器や壁などの間に挟まれることがなく、配線の損傷を防止することができる。
【００３２】
スライド機構６は、第１側部落下防止部材７Ａに支持され第２天板５の幅方向の一方側の側縁部と固定される第１スライド機構６Ａと、第２側部落下防止部材７Ｂに支持され第２天板５の幅方向の他方側の側縁部と固定される第２スライド機構６Ｂと、を有している。第１スライド機構６Ａおよび第２スライド機構６Ｂは、両方で第２天板５を支持している。
第１スライド機構６Ａと第２スライド機構６Ｂとは、幅方向に対称となるように形成されている。以下では、第１スライド機構６Ａの詳細について説明し、第２スライド機構６Ｂの詳細については説明を省略する。また、第２スライド機構６Ｂを構成する部材は、対応する第１スライド機構６Ａの部材と同じ符号で説明する。
【００３３】
図７および図８に示すように、第１スライド機構６Ａは、第１側部落下防止部材７Ａの本体部７１の凹部７３に配置されて凹部７３の前後方向の略全体にわたって延在するレール部材６１と、レール部材６１に沿って移動可能であるとともに第２天板５に固定された移動部材６２と、レール部材６１に沿って最前端に移動した移動部材６２を係止する前側係止部６３と、レール部材６１に沿って最後端に移動した移動部材６２を係止する後側係止部６４と、を有している。
【００３４】
レール部材６１は、延在方向に直交する断面がＬ字形状に形成され、板面が水平面となり上面を移動部材６２が摺動する摺動板部６１１と、摺動板部６１１の幅方向の他方側の縁部全体から下側に突出しカバー部７２のカバー板部７２１に溶接される固定板部６１２と、を有している。なお、図７では、レール部材６１を図示するためカバー板部７２１と固定板部６１２とは離間している。
【００３５】
移動部材６２は、第１側部落下防止部材７Ａの本体部７１の凹部７３に配置されてレール部材６１の摺動板部６１１に沿って摺動する摺動部６５と、第１側部落下防止部材７Ａの上側に配置されて第２天板５の下面に固定される第２天板固定部６６と、摺動部６５と第２天板固定部６６とを連結する連結部６７と、を有している。
【００３６】
摺動部６５は、幅方向の他方側に開口する凹部が形成され略直方体の箱状に形成され、レール部材６１の摺動板部６１１の上面に配置される下板部６５１と、下板部６５１の幅方向の一方側の縁部から立ち上がる側板部６５２と、側板部６５２の上縁部から幅方向の他方側に延びる上板部６５３と、下板部６５１の前縁部から上板部６５３の前縁部まで立ち上がり幅方向の一方側の側縁部が側板部６５２の前縁部と接続される前板部６５４と、下板部６５１の後縁部から上板部６５３の後縁部まで立ち上がり幅方向の一方側の側縁部が側板部６５２の後縁部と接続される後板部６５５と、を有している。
【００３７】
下板部６５１は、幅方向の他方側の側縁部から上側に立ち上がる立ち上がり部が形成されている。下板部６５１の下面には、レール部材６１の摺動板部６１１とのすべりを良くする滑り材が設けられている。
側板部６５２は、第１側部落下防止部材７Ａの本体部の側板部７１２の幅方向の他方側に沿って配置されている。
上板部６５３は、幅方向の他方側の縁部が下板部６５１、前板部６５４および後板部６５５の幅方向の他方側の縁部よりも幅方向の他方側に配置され、第１側部落下防止部材７Ａの本体部の上板部７１３とカバー板部７２１の上縁部との間の隙間７４に挿通されている。摺動部６５がレール部材に沿って前後方向に移動すると、上板部６５３は、隙間７４に沿って前後方向に移動するように構成されている。
前板部６５４の前側の面には、後述する前側係止部６３に設けられた前側マグネット６３２に吸着可能な前側吸着板６５６が設けられている。
後板部６５５の後側の面には、後述する後側係止部６４に設けられた後側マグネット６４２に吸着可能な後側吸着板６５７が設けられている。
【００３８】
第２天板固定部６６は、板面が略長方形状となる板状に形成され、第２天板５の下面に固定されている。
連結部６７は、摺動部６５の上板部６５３の幅方向の他方側の側縁部全体から上方に延びる板状の部材で、上縁部が第２天板固定部６６の幅方向の他方側の縁部における後部側に連続している。連結部６７は、第２天板固定部６６よりも前後方向の寸法が小さく形成されている。
連結部６７の上縁部は、第１側部落下防止部材７Ａの上板部７１３の上端面よりも上側に突出している。これにより、連結部６７の上縁部に連続する第２天板固定部６６は、第１側部落下防止部材７Ａの上板部７１３の上面よりも上方に間隔をあけて配置されている。
第２天板５は、第１スライド機構６Ａおよび第２スライド機構６Ｂそれぞれの第２天板固定部６６に固定されることで、第１スライド機構６Ａ、第２スライド機構６Ｂ、第１側部落下防止部材７Ａおよび第２側部落下防止部材７Ｂを介して第１天板４に支持されている。
【００３９】
前側係止部６３は、第１側部落下防止部材７Ａの本体部の内部における前端部近傍に固定されている。前側係止部６３は、レール部材６１よりも上側に配置され、摺動部６５の前板部６５４と対向する前側対向面６３１が形成されている。前側対向面６３１には、摺動部６５の前板部６５４に設けられた前側吸着板６５６と対向するように前側マグネット６３２が設けられている。
マグネットには、前側に移動してきた移動部材６２の前側吸着板６５６が吸着するように構成されている。前側吸着板６５６は、第２天板５が所定の力で後側に押され、第２天と固定されている移動部材６２が後側移動すると前側マグネット６３２から外れるように構成されている。
【００４０】
また、本実施形態では、前側係止部６３は、上端部６３ａが第１側部落下防止部材７Ａの上板部７１３よりも上方に突出している。本実施形態では、第１側部落下防止部材７Ａの上板部７１３における前端部近傍の幅方向の他方側の縁部に切欠き部７１３ａが形成されていて、この切欠き部７１３ａを前側係止部６３が貫通している。前側係止部６３の上端部６３ａは、水平面に形成され、前側係止部６３の上端部６３ａに取り付けられた滑り材６３ｂを介して第２天板固定部６６と当接している。前側係止部６３の上端部６３ａが第２天板固定部６６と当接していることにより、第２天板５が摺動部６５と共に前側に移動した際に第２天板５の前部側が下側に垂れることを防止できるとともに、第２天板５をより安定的に支持することができる。
【００４１】
後側係止部６４は、第１側部落下防止部材７Ａの本体部の内部における後端部近傍に固定されている。後側係止部６４は、レール部材６１よりも上側に配置され、摺動部６５の後板部６５５と対向する後側対向面６４１が形成されている。後側対向面６４１には、摺動部６５の後板部６５５に設けられた後側吸着板６５７と対向するように後側マグネット６４２が設けられている。
後側マグネット６４２には、後側に移動してきた移動部材６２の後側吸着板６５７が吸着するように構成されている。後側吸着板６５７は、第２天板５が所定の力で後側に押され、第２天板５と固定されている移動部材６２が前側移動すると後側マグネット６４２から外れるように構成されている。
【００４２】
本実施形態では、レール部材６１が第１スライド機構６Ａのうちの最下部分に設けられていて、レール部材６１が第１側部落下防止部材７Ａの本体部７１の下板部７１１（第１天板４の上面に固定される部分）よりも上側に離間して配置されている。このため、第１スライド機構６Ａは、第１天板４よりも上側に離間して配置されている。これにより、第２天板５が前後に移動した際に、第１天板４に載置された物品がスライド機構６Ａに接触する可能性を低減させることができる。特に、スライド機構６Ａが第１側部落下防止部材７Ａのカバー部７２に覆われておらず露出しているような場合でも第１天板４に載置された物品がスライド機構６Ａに接触する可能性を低減させることができる。
【００４３】
次に、上述した移動式什器の作用・効果について説明する。
上述した本実施形態による移動式什器では、第２天板５には、前部落下防止部材９と第２後部落下防止部材１０とが設けられていることにより、移動式什器１が前後方向に移動したときや、第２天板５が第１天板４に対して前後方向にスライドした時に、第２天板５から前方や後方に物品が落下することを確実に防止できる。
【００４４】
また、前部落下防止部材９は、第２天板５の前縁部全体の上側に設けられていることにより、移動式什器１が前後方向に移動したときや、第２天板５が第１天板４に対して前後方向にスライドした時に、第２天板５から前方に物品が落下することをより確実に防止することができる。
【００４５】
また、前部落下防止部材９は、鋼板で第２天板５と一体に形成されていることにより、前部落下防止部材９を安価かつ簡易に形成することができる。また、第２天板５および前部落下防止部材９の見栄えを良くすることができる。
また、前部落下防止部材９は、上端部に設けられた第２板部９２が水平面となる平坦面に形成されていることにより、第２天板５に電子機器が載置されている場合に、使用者が上端部の平坦面に手を置いた状態で電子機器を操作することができるため、第２天板５に載置された電子機器の操作が行いやすく、移動式什器１の使い勝手を良くすることができる。
【００４６】
また、前部落下防止部材９には、第２天板５を第１天板４に対して前後方向にスライドさせる際の手掛け部９４が一体に形成されていることにより、前部落下防止部材９とは別に手掛け部を設ける場合と比べて、安価にかつ簡易的に前部落下防止部材９および手掛け部９４を設けることができる。
また、第２後部落下防止部材１０は、第２天板５の後縁部全体の上側に設けられていることにより、移動式什器１が前後方向に移動したときや、第２天板５が第１天板４に対して前後方向にスライドした時に、第２天板５から後方に物品が落下することをより確実に防止することができる。
【００４７】
また、第２後部落下防止部材１０の落下防止バー１０１は、第２天板５の後縁部５ｂの上側のみでなく、第２天板５の幅方向の両側縁部それぞれの後部側に沿って配置されているため、第２天板５の幅方向の両側縁部それぞれの後部側に沿って配置された部分（側部落下防止部材）が第２天板５から物品が側方に落下すること確実に防止できる。
【００４８】
以上、本発明による移動式什器の実施形態について説明したが、本発明は上記の実施形態に限定されるものではなく、その趣旨を逸脱しない範囲で適宜変更可能である。
例えば、上記の実施形態では、前部落下防止部材９は、第２天板５の前縁部全体の上側に設けられているが、第２天板５の前縁部の少なくとも一部の上側に設けられていてもよい。
また、上記の実施形態では、前部落下防止部材９は、鋼板で第２天板５と一体に形成されているが、第２天板５とは別体に形成されていてもよいし、異なる材料で形成されていてもよい。また、第２天板５および前部落下防止部材９は、鋼板以外で形成されていてもよい。
【００４９】
また、上記の実施形態では、前部落下防止部材９は、上端部に設けられた第２板部９２が水平面となる平坦面に形成されているが、前部落下防止部材９の形状は適宜設定されてよい。
また、上記の実施形態では、前部落下防止部材９には、第２天板５を第１天板４に対して前後方向にスライドさせる際の手掛け部９４が一体に形成されているが、手掛け部９４が設けられていなくてもよい。
また、上記の実施形態では、第２後部落下防止部材１０は、第２天板５の後縁部全体の上側に設けられているが、第２天板５の後縁部の少なくとも一部に設けられていてもよい。
また、上記の実施形態では、第２後部落下防止部材１０の落下防止バー１０１は、第２天板５の後縁部５ｂの上側のみでなく、第２天板５の幅方向の両側縁部それぞれの後部側に沿って配置されているが、第２天板５の後縁部５ｂの上側のみに配置されていてもよい。また、第２後部落下防止部材１０の落下防止バー１０１は、第２天板５の後縁部５ｂの上側に加えて、第２天板５の幅方向の両側縁部それぞれの全体に沿って配置されていてもよい。
【符号の説明】
【００５０】
１  移動式什器
２  ベース部
３  支持体
４  第１天板
５  第２天板
５ａ  前縁部
５ｂ  後縁部
９  前部落下防止部材
９１  第１板部（上方延出部）
９２  第２板部（上端部）
９３  第３板部（下方延出部）
９４  手掛け部
９５  凹部
１０  第２後部落下防止部材（後部落下防止部材）
【図１】
2018007729.tif 000003
【図２】
2018007729.tif 000004
【図３】
2018007729.tif 000005
【図４】
2018007729.tif 000006
【図５】
2018007729.tif 000007
【図６】
2018007729.tif 000008
【図７】
2018007729.tif 000009
【図８】
2018007729.tif 000010